(57)【特許請求の範囲】
【請求項１】
荷物へ貼付可能な粘着層及びその粘着層を保護する離型基材を積層し、その一部に、その表面から前記離型基材に達しない深さまでハーフカットを行って形成した切り離し予定線を介して連接され、前記離型基材と一体のまま切り離されて、前記離型基材を剥離するときのキッカケとなる余白部を有する伝票基材と、
前記伝票基材に剥離可能に貼付され、その側縁部分が、平面視において前記切り離し予定線と平行でかつ該切り離し予定線よりもその中心に近い場所を通る直線に沿う粕上げにより除去されて前記余白部を表出させる表面基材とを備える配送伝票の製造方法であって、
前記伝票基材に対して、前記切り離し予定線を形成する切り離し予定線形成工程と、
前記表面基材に対して、前記側縁部分を分離除去するための分離予定線を形成する分離予定線形成工程と、
前記切り離し予定線形成工程で切り離し予定線が形成された伝票基材に対して、前記分離予定線形成工程で分離予定線が形成された表面基材を丁合し、その丁合された表面基材から、側縁部分を除去する側縁除去工程とを備え、
前記分離予定線形成工程は、前記表面基材の印刷とともに行う工程であり、
前記切り離し予定線形成工程は、前記伝票基材の印刷とともに行う工程であることを特徴とする配送伝票の製造方法。
【発明の詳細な説明】
【０００１】
【発明の属する技術分野】
本発明は、百貨店の商品や、運送会社の宅配荷物に貼付して使用する配送伝票の製造方法に関するものである。
【０００２】
【従来の技術】
図３は、従来の配送伝票の第１形態を示す図であり、図３（Ａ）は平面図、図３（Ｂ）は断面図である。
図３に示すように、従来の配送伝票１０は、表面に、宛名を表示する表面基材１２が配置されており、疑似接着層１２ａで伝票基材１１に剥離可能に貼付されている。
伝票基材１１は、裏面に、粘着層１１ａが形成されており、さらに、その粘着層１１ａを保護する離型紙１１ｂが貼付されている。この離型紙１１ｂは、切れ込まれて剥離開始線ａが形成されている。また、粘着層１１ａは、剥離開始線ａに沿って糊抜き部１１ｃが形成されており、その部分の離型紙１１ｂは、接着されていない。このため、離型紙１１ｂは、剥離開始線ａから容易に剥がすことができる。
【０００３】
しかし、一部分が糊抜きされたタック紙は、特殊品であり、高価である。
また、離型紙１１ｂを剥がす際は、左右それぞれ剥がさなければならないので、２回の剥離作業が必要で、煩雑である。
さらに、剥離開始線ａの位置は、印刷や加工などの製造に影響を与え、特に、多列作業時において重要であるので、十分に検討しなければならない。
【０００４】
図４は、従来の配送伝票の第２形態を示す図であり、図４（Ａ）は平面図、図４（Ｂ）は断面図、図４（Ｃ）は使用状態を示す断面図である。
上述の点を考慮して、図４に示すような配送伝票１０がある。
この配送伝票１０には、側辺に並行する切れ込みが表面から入れられて、剥離開始線ａが形成されている（図４（Ｂ））。伝票使用者は、剥離開始線ａの外側の余白部ｂより、離型紙１１ｂを剥がす（図４（Ｃ））。これにより、伝票使用者は、１回の作業で、離型紙１１ｂを剥離することができる。
【０００５】
【発明が解決しようとする課題】
しかし、図４に示す従来の配送伝票は、伝票基材１１に表面基材１２を貼り合わせた後、後加工機で切れ込みを入れて剥離開始線ａを形成するが、このとき、基材には、テンションがかけられていないので、切れ込みの深さがバラついてしまい、切れ込みが入らなかったり、逆に、離型紙１１ｂまで切れてしまったりする。
【０００６】
本発明の課題は、剥離開始線を確実に形成することができ、離型紙を容易に剥がせる、安価な配送伝票の製造方法を提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。前記課題を解決するために、請求項１の発明は、荷物へ貼付可能な粘着層（１１ａ）及びその粘着層（１１ａ）を保護する離型基材（１１ｂ）を積層し、その一部に、その表面から前記離型基材に達しない深さまでハーフカットを行って形成した切り離し予定線（ａ）を介して連接され、前記離型基材（１１ｂ）と一体のまま切り離されて、前記離型基材（１１ｂ）を剥離するときのキッカケとなる余白部（ｂ）を有する伝票基材（１１）と、前記伝票基材（１１）に剥離可能に貼付され、その側縁部分（ｄ）が、平面視において前記切り離し予定線と平行でかつ該切り離し予定線よりもその中心に近い場所を通る直線に沿う粕上げにより除去されて前記余白部（ｂ）を表出させる表面基材（１２）とを備える配送伝票の製造方法であって、前記伝票基材（１１）に対して、前記切り離し予定線（ａ）を形成する切り離し予定線形成工程（＃１０１）と、前記表面基材（１２）に対して、前記側縁部分（ｄ）を分離除去するための分離予定線（ｃ）を形成する分離予定線形成工程（＃１０２）と、前記切り離し予定線形成工程（＃１０１）で切り離し予定線が形成された伝票基材（１１）に対して、前記分離予定線形成工程（＃１０２）で分離予定線（ｃ）が形成された表面基材（１２）を丁合し、その丁合された表面基材（１２）から、側縁部分（ｄ）を除去する側縁除去工程（＃１０３）とを備え、前記分離予定線形成工程（＃１０２）は、前記表面基材（１２）の印刷とともに行う工程であり、前記切り離し予定線形成工程（＃１０１）は、前記伝票基材（１１）の印刷とともに行う工程であることを特徴とする配送伝票の製造方法である。
【００１０】
【発明の実施の形態】
以下、図面等を参照して、本発明の実施の形態について、さらに詳しく説明する。
図１は、本発明による配送伝票の一実施形態を示す図であり、図１（Ａ）は平面図、図１（Ｂ）は断面図である。
配送伝票１０は、伝票基材１１と、表面基材１２とを有する。
伝票基材１１は、裏面に、粘着層１１ａを形成し、さらに、その粘着層１１ａを保護する離型紙１１ｂが剥離可能に貼付されている。また、伝票基材１１は、表面より切れ込まれて剥離開始線ａが形成されており、その外側が余白部ｂとなっている。この剥離開始線ａは、ハーフカットによって形成されているので、離型紙１１ｂは、切れ込まれていない。
【００１１】
伝票基材１１は、クラフト紙，上質紙，複写用紙，グラシン紙，パーチメント紙，レーヨン紙，コート紙，合成紙，樹脂フィルムによりラミネートされた紙、感熱紙等の紙が、好適に用いられるが、セロファン，延伸ポリプロピレン，ポリエチレンテレフタレート，延伸ポリスチレン，ポリ塩化ビニル等の樹脂フィルムであってもよい。その厚さは、通常は、２０〜２００μｍ程度が好ましい。
【００１２】
粘着層１１ａは、伝票基材１１を被着対象物に貼付可能とする層であり、アクリル系粘着剤、天然ゴム系粘着剤、合成ゴム系粘着剤又はシリコーンゴム系粘着剤などが塗布されて形成されている。粘着層１１ａの塗布量・塗布厚は、特に限定されないが、好ましくは、塗布量は０．１〜５０ｇ／ｍ2 であり、塗布厚は０．１〜５０μｍである。
【００１３】
離型紙１１ｂは、粘着層１１ａを保護する基材であり、その上面、すなわち、粘着層１１ａ側の面には、シリコーン系離型剤などによる剥離処理がなされている。離型紙１１ｂの厚さは、特に限定はされないが、通常２０〜２００μｍ、好ましくは４０〜１００μｍ程度である。
【００１４】
表面基材１２は、宛名を表示する基材であり、疑似接着層１２ａによって、伝票基材１１に、剥離可能に貼付されている。また、表面基材１２の材質は、伝票基材１１と同様のものが好適である。表面基材１２は、伝票基材１１よりも小さく、伝票基材１１の剥離開始線ａを表出させている。
【００１５】
疑似接着層１２ａは、例えば、特開平８−４８９５６公報で開示されている疑似接着糊によって形成することができる。この疑似接着糊は、天然ゴムラテックス等の接着主剤に、マイクロシリカ等の無機充填剤、コーンスターチ等の添加剤、γ−メルカプトプロピルトリメトキシシラン等のシランカップリング剤を一定割合で添加し、さらに必要に応じて、ポリビニルアルコール等のように、接着主剤と相溶性を有しない樹脂やその他の添加剤を添加したものである。
また、別の方法としては、表面基材１２に離型剤を塗布して形成する方法もある。離型剤としては、シリコーン系離型剤、ポリブタジエンゴム系離型剤、スチレン−ブタジエン共重合体系離型剤、アルキド−シリコーン共重合体系離型剤などが用いられる。
【００１６】
（製造方法）
図２は、本発明による配送伝票の一実施形態の製造方法を示す図である。
配送伝票１０は、以下のように製造する。
伝票基材１１に、印刷して側辺に並行に表面からハーフカットを行い、剥離開始線ａを形成する（剥離開始線形成工程＃１０１）。
一方、表面基材１２に、印刷して側辺に並行にミシン目ｃを形成する（ミシン目形成工程＃１０２）。なお、このミシン目ｃは、後工程で切断容易なようにカット長を長くするとよい。
【００１７】
剥離開始線ａを形成した伝票基材１１に対して、ミシン目ｃを形成した表面基材１２をマージナルパンチｐ基準で丁合・圧着し、伝票基材１１の側縁部分ｄを粕上げし（丁合工程＃１０３）、配送伝票１０が完成する。
なお、粕上げは、巻き上げても、吸引してもよい。
【００１８】
（使用方法）
配送伝票の荷物への貼付者は、余白部ｂを指でつまんで剥離開始線ａを折り曲げて、離型紙１１ｂを剥がして、粘着層１１ａを露出させ、荷物に貼付する。
【００１９】
本実施形態によれば、印刷して側辺に並行に表面からハーフカットを行うので、基材は引っ張られてテンションがかけられている。そのため、切れ込みの深さを容易に調整することができる。
また、伝票基材１１の側縁部分ｄが粕上げされているので、剥離開始線ａが露出しており、離型紙１１ｂを剥がし易い。
さらに、余白部ｂ上には、表面基材１２がないので軟らかいため、余白部ｂを指でつまんで折り曲げやすく、離型紙１１ｂを剥がしやすい。
【００２０】
（変形形態）
以上説明した実施形態に限定されることなく、種々の変形や変更が可能であって、それらも本発明の均等の範囲内である。
例えば、伝票基材１１の側縁部分ｄは、表面基材１２に丁合される前に予め分離されていても、同様の効果が得られる。
【００２１】
【発明の効果】
以上詳しく説明したように、請求項１の発明によれば、伝票基材の余白部が表出しており表面基材がなく軟らかいので、その余白部を指でつまんで折り曲げやすく、離型紙を剥がしやすく、また、切り離し予定線が形成された伝票基材に対して分離予定線が形成された表面基材を丁合し、その丁合された表面基材から側縁部分を除去するので、離型紙を簡単に剥がすことができ、さらに、表面基材の印刷とともに分離予定線を形成し、また、伝票基材の印刷とともに切り離し予定線を形成するので、基材は引っ張られてテンションがかけられており、切れ込みの深さを容易に調整することができる。
【図面の簡単な説明】
【図１】本発明による配送伝票の一実施形態を示す図である。
【図２】本発明による配送伝票の一実施形態の製造方法を示す図である。
【図３】従来の配送伝票の第１形態を示す図である。
【図４】従来の配送伝票の第２形態を示す図である。
【符号の説明】
１０  配送伝票
１１  伝票基材
１１ａ  粘着層
１１ｂ  離型紙
１２  表面基材
１２ａ  疑似接着層
ａ  剥離開始線
ｂ  余白部
【図１】
0004577953.tif 000002
【図２】
0004577953.tif 000003
【図３】
0004577953.tif 000004
【図４】
0004577953.tif 000005